(57)【要約】  【課題】ＲＩ分布画像でのＸ線ＣＴ撮影の実行位置を容易に把握できるようにする。  【解決手段】この発明のシステムは、Ｘ線ＣＴ装置２の側では、Ｘ線ＣＴ像撮影位置設定部１９が、被検体ＭにおけるＸ線ＣＴ像撮影位置をＲＩ分布像撮影位置と対応が付けられた状態で設定すると共に、既撮影位置情報通知部２３が、Ｘ線ＣＴ画像の撮影を実行したＸ線ＣＴ像撮影位置を示す既撮影位置情報をＰＥＴ装置１へ通知する。ＰＥＴ装置１の側では、Ｘ線撮影実行位置情報表示部２４が、Ｘ線ＣＴ像撮影位置とＲＩ分布像撮影位置の対応関係とＸ線ＣＴ装置２から通知された既撮影位置情報に従って、ＲＩ分布画像におけるＸ線ＣＴ撮影の実行位置を教示するＸ線撮影実行位置情報を表示する。その結果、撮影技師や診断医師は、ＰＥＴ装置１のＸ線撮影実行位置情報表示部２４が表示するＸ線撮影実行位置情報でＲＩ分布画像におけるＸ線ＣＴ撮影の実行位置が容易に把握できる。【選択図】    図１
2005304697.tif 000002
【特許請求の範囲】
【請求項１】
被検体に投与された放射線同位元素（ＲＩ）から発生するγ線を検出するγ線検出手段と、γ線検出手段から出力されるγ線検出信号に基づき画像再構成を行なってＲＩ分布画像（放射線同位元素の分布画像）を取得するＲＩ分布画像取得手段と、被検体におけるＲＩ分布画像を取得するＲＩ分布像撮影位置を設定するＲＩ分布像撮影位置設定手段とを備えた核医学画像撮像装置と、被検体にＸ線を照射するＸ線照射手段と、被検体を透過したＸ線を検出するＸ線検出手段と、Ｘ線照射手段による被検体へのＸ線照射に伴ってＸ線検出手段から出力されるＸ線検出信号に基づき画像再構成を行なってＸ線断層画像を取得するＸ線断層画像取得手段と、被検体におけるＸ線断層画像を取得するＸ線断層像撮影位置をＲＩ分布像撮影位置と対応が付けられた状態で設定するＸ線断層像撮影位置設定手段とを備えたＸ線断層撮影装置とが配備されており、Ｘ線断層撮影装置は、Ｘ線断層画像の撮影を実行したＸ線断層像撮影位置を示す既撮影位置情報を核医学画像撮像装置へ通知する既撮影位置情報通知手段を備え、核医学画像撮像装置は、既撮影位置情報通知手段から通知された既撮影位置情報にしたがってＲＩ分布画像におけるＸ線断層撮影の実行位置を教示するＸ線撮影実行位置情報を表示するＸ線撮影実行位置情報表示手段を備えていることを特徴とする複合型放射線撮像システム。
【請求項２】
請求項１に記載の複合型放射線撮像システムにおいて、核医学画像撮像装置は、ＲＩ分布像撮影位置設定手段が被検体におけるＸ線断層像撮影位置もＲＩ分布像撮影位置と対応が付けられた状態で指定する構成とされているのに加え、ＲＩ分布像撮影位置設定手段で指定して設定されたＸ線断層像撮影位置を示す指定撮影位置情報をＸ線断層撮影装置へ通知する指定撮影位置情報通知手段を備えていると共に、Ｘ線断層撮影装置は、指定撮影位置情報通知手段から通知された指定撮影位置情報を表示する指定撮影位置情報表示手段を備えている複合型放射線撮像システム。
【請求項３】
請求項１または２に記載の複合型放射線撮像システムにおいて、Ｘ線撮影実行位置情報表示手段は、Ｘ線撮影実行位置情報をＲＩ分布画像の上に重畳表示する複合型放射線撮像システム。
【請求項４】
請求項１から３のいずれかに記載の複合型放射線撮像システムにおいて、Ｘ線撮影実行位置情報表示手段は、Ｘ線撮影実行位置情報をＲＩ分布画像の一覧表示に付加表示する複合型放射線撮像システム。
【請求項５】
請求項１から４のいずれかに記載の複合型放射線撮像システムにおいて、核医学画像撮像装置とＸ線断層撮影装置が共用する被検体載置用の天板を備えていて、ＲＩ分布像撮影位置設定手段とＸ線断層像撮影位置設定手段がＲＩ分布像撮影位置やＸ線断層像撮影位置を天板の位置で設定する複合型放射線撮像システム。
【請求項６】
請求項１から５のいずれかに記載の複合型放射線撮像システムにおいて、核医学画像撮像装置が、被検体に投与されたポジトロン放出型の放射線同位元素のポジトロンの消滅に伴って発生するγ線を検出してＲＩ分布画像を取得するＰＥＴ装置である複合型放射線撮像システム。
【発明の詳細な説明】
【技術分野】
【０００１】
この発明は、例えばＰＥＴ（ポジトロン・エミッション・トモグラフィ）装置のように、被検体に投与された放射線同位元素（ＲＩ）から発生するγ線を検出してＲＩ分布画像を取得する核医学画像撮像装置と、被検体にＸ線を照射すると共に被検体を透過したＸ線を検出してＸ線断層画像を取得するＸ線断層撮影装置が配備された複合型放射線撮像システムに係り、特にＲＩ分布画像におけるＸ線断層撮影の実行位置を把握するための技術に関する。
【背景技術】
【０００２】
近年、ＲＩ分布画像の撮影を行なうＰＥＴ装置と、Ｘ線ＣＴ画像（Ｘ線断層画像）の撮影を行なうＸ線ＣＴ装置（Ｘ線断層撮影装置）が配備された複合型放射線撮像システムが、病院等の臨床分野の診断に利用されている（例えば特許文献１参照。）。
【０００３】
ＰＥＴ（ポジトロン・エミッション・トモグラフィ）装置は、被検体に投与されたポジトロン放出型のＲＩにより体外に放射される５１１ｋｅＶのエネルギーの消滅γ線をγ線検出器で検出すると共に、γ線検出器から出力されるγ線検出信号に基づき画像再構成を行なってＲＩ分布画像を取得する。
【０００４】
Ｘ線ＣＴ装置は、Ｘ線管で被検体にＸ線を照射すると共に、被検体を透過したＸ線をＸ線検出器で検出し、さらにＸ線検出器から出力されるＸ線検出信号に基づき画像再構成を行なってＸ線ＣＴ画像を取得する。
【０００５】
この複合型放射線撮像システムの場合、通常、先ずＰＥＴ装置で被検体の関心部位について広めに撮影しＲＩ分布画像を取得してから、ＲＩ分布画像のうちで特に精密に観察したい箇所をＸ線ＣＴ装置で撮影しＸ線ＣＴ画像を取得する。そして、撮影技師ないし診察医師は、撮影されたＲＩ分布画像とＸ線ＣＴ画像を比較したり、フュージョンしたりすることで、診断を下す。
【特許文献１】特開平７−２０２４５号公報（３頁〜４頁、図１）
【発明の開示】
【発明が解決しようとする課題】
【０００６】
しかしながら、上記従来の複合型放射線撮像システムの場合、往々にしてＲＩ分布画像におけるＸ線ＣＴ撮影の実行位置がなかなか把握できない事態が起こるという問題がある。
【０００７】
一般的に、ＰＥＴ装置の場合、一度の検査で数百枚にのぼる大量のＲＩ分布画像が撮影される。これに対して、Ｘ線ＣＴ画像は各ＲＩ分布画像について撮影されるわけでなく、特定のＲＩ分布画像についてのみ撮影されるのが普通である。
【０００８】
したがって、ＲＩ分布画像とＸ線ＣＴ画像を比較したり、フュージョンしたりするには、先ず画像に付加された（例えば被検体載置用の天板の位置等の）撮影位置データをチェックしながら、ＲＩ分布画像に対応するＸ線ＣＴ画像の存在の有無を確認したり、Ｘ線ＣＴ画像と同一位置で撮影したＲＩ分布画像を探し出す作業を行なわなければならない。しかし、この作業は、ＲＩ分布画像の撮影枚数は数百枚もの量なので、必然的に煩雑で時間のかかるやっかいな作業となりがちである。
【０００９】
この発明は、このような事情に鑑みてなされたものであって、核医学画像撮像装置で取得されたＲＩ分布画像におけるＸ線断層撮影装置によるＸ線断層撮影の実行位置を容易に把握することができる複合型放射線撮像システムを提供することを目的とする。
【課題を解決するための手段】
【００１０】
この発明は、このような目的を達成するために、次のような構成をとる。
【００１１】
すなわち、請求項１に記載の発明に係る複合型放射線撮像システムは、被検体に投与された放射線同位元素（ＲＩ）から発生するγ線を検出するγ線検出手段と、γ線検出手段から出力されるγ線検出信号に基づき画像再構成を行なってＲＩ分布画像（放射線同位元素の分布画像）を取得するＲＩ分布画像取得手段と、被検体におけるＲＩ分布画像を取得するＲＩ分布像撮影位置を設定するＲＩ分布像撮影位置設定手段とを備えた核医学画像撮像装置と、被検体にＸ線を照射するＸ線照射手段と、被検体を透過したＸ線を検出するＸ線検出手段と、Ｘ線照射手段による被検体へのＸ線照射に伴ってＸ線検出手段から出力されるＸ線検出信号に基づき画像再構成を行なってＸ線断層画像を取得するＸ線断層画像取得手段と、被検体におけるＸ線断層画像を取得するＸ線断層像撮影位置をＲＩ分布像撮影位置と対応が付けられた状態で設定するＸ線断層像撮影位置設定手段とを備えたＸ線断層撮影装置とが配備されており、Ｘ線断層撮影装置は、Ｘ線断層画像の撮影を実行したＸ線断層像撮影位置を示す既撮影位置情報を核医学画像撮像装置へ通知する既撮影位置情報通知手段を備え、核医学画像撮像装置は、既撮影位置情報通知手段から通知された既撮影位置情報にしたがってＲＩ分布画像におけるＸ線断層撮影の実行位置を教示するＸ線撮影実行位置情報を表示するＸ線撮影実行位置情報表示手段を備えていることを特徴とするものである。
【００１２】
［作用・効果］請求項１の発明の複合型放射線撮像システムの場合、核医学画像撮像装置による撮影では、γ線検出手段により被検体に投与された放射線同位元素（ＲＩ）から発生するγ線が検出されると共に、ＲＩ分布画像取得手段によりγ線検出手段から出力されるγ線検出信号に基づく画像再構成が行なわれてＲＩ分布像撮影位置設定手段で設定されたＲＩ分布像撮影位置のＲＩ分布画像が取得される。
【００１３】
また、Ｘ線断層撮影装置による撮影では、Ｘ線照射手段から被検体へＸ線が照射されると共に、Ｘ線検出手段によって被検体を透過したＸ線が検出され、さらにＸ線断層画像取得手段によりＸ線検出手段から出力されるＸ線検出信号に基づく画像再構成が行なわれてＸ線断層像撮影位置設定手段で設定されたＸ線断層像撮影位置のＸ線断層画像が取得される。
【００１４】
Ｘ線断層撮影装置の場合、Ｘ線断層画像の取得が済めば、既撮影位置情報通知手段がＸ線断層画像の撮影を実行したＸ線断層像撮影位置を示す既撮影位置情報を核医学画像撮像装置へ通知する。核医学画像撮像装置では、Ｘ線撮影実行位置情報表示手段がＸ線断層像撮影位置とＲＩ分布像撮影位置の対応関係と既撮影位置情報通知手段から通知された既撮影位置情報とにしたがって、ＲＩ分布画像におけるＸ線断層撮影の実行位置を教示するＸ線撮影実行位置情報を表示する。撮影技師ないし診察医師は、Ｘ線撮影実行位置情報表示手段により表示されたＸ線撮影実行位置情報によって、ＲＩ分布画像におけるＸ線断層撮影の実行位置を速やかに確認する。
【００１５】
即ち、請求項１の発明のシステムの場合、Ｘ線断層撮影装置の側では、Ｘ線断層像撮影位置設定手段により、被検体におけるＸ線断層画像を取得するＸ線断層像撮影位置をＲＩ分布像撮影位置と対応が付けられた状態で設定すると共に、既撮影位置情報通知手段により、Ｘ線断層画像の撮影を実行したＸ線断層像撮影位置を示す既撮影位置情報を核医学画像撮像装置の方へ通知する。そして、Ｘ線断層撮影装置によって通知される既撮影位置情報が示すＸ線断層画像の撮影を実行したＸ線断層像撮影位置は、ＲＩ分布像撮影位置と対応が付けられた状態で設定されたものであるので、核医学画像撮像装置の側では、Ｘ線撮影実行位置情報表示手段により、Ｘ線断層像撮影位置とＲＩ分布像撮影位置の対応関係と、Ｘ線断層撮影装置から通知された既撮影位置情報が示す既撮影位置情報にしたがって、ＲＩ分布画像におけるＸ線断層撮影の実行位置を教示する断層撮影実行位置情報が表示される。撮影技師ないし診察医師は、核医学画像撮像装置のＸ線撮影実行位置情報表示手段で表示されたＸ線撮影実行位置情報によって、ＲＩ分布画像におけるＸ線断層撮影の実行位置を速やかに確認できる。
【００１６】
また、請求項２に記載の発明は、請求項１に記載の複合型放射線撮像システムにおいて、核医学画像撮像装置は、ＲＩ分布像撮影位置設定手段が被検体におけるＸ線断層像撮影位置もＲＩ分布像撮影位置と対応が付けられた状態で指定する構成とされているのに加え、ＲＩ分布像撮影位置設定手段で指定して設定されたＸ線断層像撮影位置を示す指定撮影位置情報をＸ線断層撮影装置へ通知する指定撮影位置情報通知手段を備えていると共に、Ｘ線断層撮影装置は、指定撮影位置情報通知手段から通知された指定撮影位置情報を表示する指定撮影位置情報表示手段を備えているものである。
【００１７】
［作用・効果］請求項２の発明のシステムの場合、核医学画像撮像装置の側で、ＲＩ分布像撮影位置設定手段により、被検体におけるＸ線断層像撮影位置を指定すると、ＲＩ分布像撮影位置設定手段で指定されたＸ線断層像撮影位置を示す指定撮影位置情報が、核医学画像撮像装置の指定撮影位置情報通知手段によって、Ｘ線断層撮影装置へ通知される。
【００１８】
一方、Ｘ線断層撮影装置の側では、指定撮影位置情報表示手段により、核医学画像撮像装置の側から通知された指定撮影位置情報が表示されるので、核医学画像撮像装置で指定された被検体におけるＸ線断層像撮影位置が速やかに確認できる。
【００１９】
他方、Ｘ線断層撮影装置の側で確認されたＸ線断層像撮影位置はＲＩ分布像撮影位置と対応が付けられている。
【００２０】
したがって、ＲＩ分布画像を取得したＲＩ分布像撮影位置に対応した位置のＸ線断層画像をＸ線断層撮影装置で速やかに取得することができる。
【００２１】
また、請求項３に記載の発明は、請求項１または２に記載の複合型放射線撮像システムにおいて、Ｘ線撮影実行位置情報表示手段は、Ｘ線撮影実行位置情報をＲＩ分布画像の上に重畳表示するものである。
【００２２】
［作用・効果］請求項３の発明のシステムの場合、Ｘ線撮影実行位置情報表示手段により、Ｘ線断層画像の撮影を実行したＸ線断層像撮影位置を示すＸ線撮影実行位置情報がＲＩ分布画像の上に重畳表示されるので、ＲＩ分布画像におけるＸ線断層撮影の実行位置をＲＩ分布画像上で直に確認できる。
【００２３】
また、請求項４に記載の発明は、請求項１から３のいずれかに記載の複合型放射線撮像システムにおいて、Ｘ線撮影実行位置情報表示手段は、Ｘ線撮影実行位置情報をＲＩ分布画像の一覧表示に付加表示するものである。
【００２４】
［作用・効果］請求項４の発明のシステムの場合、Ｘ線撮影実行位置情報表示手段により、Ｘ線断層画像の撮影を実行したＸ線断層像撮影位置を示すＸ線撮影実行位置情報がＲＩ分布画像の一覧表示に付加表示されるので、ＲＩ分布画像におけるＸ線断層撮影の実行位置をＲＩ分布画像の一覧表示上で確認できる。
【００２５】
また、請求項５に記載の発明は、請求項１から４のいずれかに記載の複合型放射線撮像システムにおいて、核医学画像撮像装置とＸ線断層撮影装置が共用する被検体載置用の天板を備えていて、ＲＩ分布像撮影位置設定手段とＸ線断層像撮影位置設定手段がＲＩ分布像撮影位置やＸ線断層像撮影位置を天板の位置で設定するものである。
【００２６】
［作用・効果］請求項５の発明のシステムの場合、ＲＩ分布像撮影位置設定手段とＸ線断層像撮影位置設定手段が、ＲＩ分布像撮影位置やＸ線断層像撮影位置を、核医学画像撮像装置とＸ線断層撮影装置で共用する天板の位置で設定するので、ＲＩ分布像撮影位置とＸ線断層像撮影位置の対応付けが容易となる。
【００２７】
また、請求項６に記載の発明は、請求項１から５のいずれかに記載の複合型放射線撮像システムにおいて、核医学画像撮像装置が、被検体に投与されたポジトロン放出型の放射線同位元素のポジトロンの消滅に伴って発生するγ線を検出してＲＩ分布画像を取得するＰＥＴ装置であるものである。
【００２８】
［作用・効果］請求項６の発明のシステムの場合、核医学画像撮像装置がＰＥＴ装置であるので、被検体に投与されたポジトロン放出型の放射線同位元素の分布を示すＲＩ分布画像を取得できる。
【発明の効果】
【００２９】
この発明のシステムの場合、Ｘ線断層撮影装置の側では、Ｘ線断層像撮影位置設定手段が、被検体におけるＸ線断層画像を取得するＸ線断層像撮影位置をＲＩ分布像撮影位置と対応が付けられる状態で設定すると共に、既撮影位置情報通知手段が、Ｘ線断層画像の撮影を実行したＸ線断層像撮影位置を示す既撮影位置情報を核医学画像撮像装置の方へ通知する。そして、Ｘ線断層撮影装置が通知する既撮影位置情報が示すＸ線断層画像の撮影を実行したＸ線断層像撮影位置は、ＲＩ分布像撮影位置と対応が付けられる状態で設定されたものであるので、核医学画像撮像装置の側では、Ｘ線撮影実行位置情報表示手段が、Ｘ線断層像撮影位置とＲＩ分布像撮影位置の対応関係と、Ｘ線断層撮影装置から通知された既撮影位置情報が示す既撮影位置情報とにしたがって、ＲＩ分布画像におけるＸ線断層撮影の実行位置を教示する断層撮影実行位置情報を表示する。その結果、撮影技師ないし診察医師は、核医学画像撮像装置のＸ線撮影実行位置情報表示手段で表示されたＸ線撮影実行位置情報から、ＲＩ分布画像におけるＸ線断層撮影の実行位置を速やかに確認できる。
【００３０】
よって、この発明の複合型放射線撮像システムによれば、核医学画像撮像装置で取得されたＲＩ分布画像におけるＸ線断層撮影装置によるＸ線断層撮影の実行位置を容易に把握することができる。
【実施例】
【００３１】
この発明の複合型放射線撮像システムの実施例について図面を参照しながら詳しく説明する。図１は実施例に係る医用の複合型放射線撮像システムの全体的構成を示すブロック図である。
【００３２】
実施例の複合型放射線撮像システムは、図１に示すように、ＲＩ分布画像の撮影を行なうＰＥＴ装置１と、Ｘ線ＣＴ画像（Ｘ線断層画像）の撮影を行なうＸ線ＣＴ装置（Ｘ線断層撮影装置）２が配備されている。
【００３３】
ＰＥＴ装置１は、撮影対象の被検体Ｍを載置する天板３と、被検体Ｍを載置した天板３が出入りすると共に被検体Ｍに投与されたポジトロン型の放射線同位元素（ＲＩ）から発生するγ線を検出するγ線検出器４が設置されているＰＥＴ用ガントリＧ１を備えているのに加え、ＲＩ分布画像の撮影に必要な制御やγ線検出器４から出力されるγ線検出信号の処理を行なうＰＥＴ用制御処理部５やＲＩ分布画像や操作メニュー画像を表示する表示モニタ６などを備えている。
【００３４】
ＰＥＴ用制御処理部５には、γ線検出器４から出力されるγ線検出信号に基づき画像再構成を行なってＲＩ分布画像（ＰＥＴ画像）を取得するＲＩ分布画像取得部７と、被検体ＭにおけるＲＩ分布画像を取得するＲＩ分布像撮影位置を設定するＲＩ分布像撮影位置設定部８と、図２に示すようなＲＩ分布画像の表示や、さらには取得したＲＩ分布画像の一覧表示を行なうＲＩ分布画像関連表示部９などが配設されている。
【００３５】
ＲＩ分布画像取得部７で取得されるＲＩ分布画像としては、サジタル画像やコロナル画像の他にＭＩＰ画像などが挙げられる。
【００３６】
ＲＩ分布画像関連表示部９が行なうＲＩ分布画像の一覧表示としては、図３に示すようなＲＩ分布画像のリスト表示や、あるいは図４に示すようなＲＩ分布画像のサムネイル表示が挙げられる。なお、図４のサムネイル表示の場合、ボックス１個が図３のリスト表示の一行分に相当する。
【００３７】
被検体ＭにおけるＲＩ分布像撮影位置を設定する場合、例えば、表示モニタ６にＲＩ分布像撮影位置の設定メニュー画面を映し出しておいて、操作部１０による入力操作でＲＩ分布像撮影位置を画面上で指定する。そうすると、操作部１０で指定されたＲＩ分布像撮影位置がＲＩ分布像撮影位置設定部８で設定される。ＲＩ分布像撮影位置は被検体Ｍが載置されている天板３の位置と対応しているので、ＲＩ分布像撮影位置設定部８は操作部１０で指定されたＲＩ分布像撮影位置を天板３の位置で設定する。
【００３８】
そして、ＰＥＴ装置１によるＲＩ分布画像の撮影の際は、天板３が天板移動機構１１によってＲＩ分布像撮影位置設定部８で設定されたＲＩ分布像撮影位置に相応する位置に移動させられ、γ線検出器４によるγ線の検出が行なわれる。
【００３９】
Ｘ線ＣＴ装置２は、撮影対象の被検体Ｍを載置する天板３と、被検体ＭにＸ線を照射するＸ線管１２と、被検体Ｍを載置した天板３が出入りすると共に被検体Ｍを透過したＸ線を検出するＸ線検出器１３が設置されているＸ線ＣＴ用ガントリＧ２とを備えているのに加え、Ｘ線ＣＴ画像の撮影に必要な制御やＸ線検出器１３から出力されるＸ線検出信号の処理を行なうＸ線ＣＴ用制御処理部１５やＸ線ＣＴ画像や操作メニュー画像を表示する表示モニタ１６などを備えている。
【００４０】
Ｘ線ＣＴ用制御処理部１５には、Ｘ線管１２によるＸ線の照射を制御するＸ線照射制御部１７と、Ｘ線照射制御部１７にしたがってＸ線管１２がＸ線を照射するのに伴ってＸ線検出器１３から出力されるＸ線検出信号に基づき画像再構成を行なってＸ線ＣＴ画像を取得するＸ線ＣＴ画像取得部１８と、被検体ＭにおけるＸ線ＣＴ画像を取得するＸ線ＣＴ像撮影位置をＲＩ分布像撮影位置と対応が付けられた状態で設定するＸ線ＣＴ像撮影位置設定部１９と、Ｘ線ＣＴ画像取得部１８で取得したＸ線ＣＴ画像の表示等を行なうＸ線ＣＴ画像関連表示部２０などが配設されている。
【００４１】
被検体ＭにおけるＸ線ＣＴ像撮影位置を設定する場合、例えば、表示モニタ１６にＸ線ＣＴ像撮影位置の設定メニュー画面を映し出しておいて、操作部１４による入力操作でＸ線ＣＴ像撮影位置を画面上で指定する。そうすると、操作部１４で指定したＸ線ＣＴ像撮影位置がＸ線ＣＴ像撮影位置設定部１９で設定される。Ｘ線ＣＴ像撮影位置は被検体Ｍが載置されている天板３の位置と対応しているので、Ｘ線ＣＴ像撮影位置設定部１９は操作部１４で指定されたＸ線ＣＴ像撮影位置を天板３の位置で設定することになる。
【００４２】
そして、Ｘ線ＣＴ装置２によるＸ線ＣＴ画像の撮影を行なう際は、天板３が天板移動機構１１によってＸ線ＣＴ像撮影位置設定部１９で設定されたＸ線ＣＴ像撮影位置に相応する位置に移動させられ、Ｘ線管１２によるＸ線の照射とＸ線検出器１３によるＸ線の検出が行なわれる。
【００４３】
前述の説明から明かなように、ＰＥＴ装置１とＸ線ＣＴ装置２は１台の天板３を共用している。したがって、被検体ＭにおけるＸ線ＣＴ像撮影位置は、天板３の長手方向に関しては、ＲＩ分布像撮影位置にＰＥＴ用ガントリＧ１の中心とＸ線ＣＴ用ガントリＧ２の中心との距離Ｌを加えた位置になり、天板３の短手方向に関しては、ＲＩ分布像撮影位置と同じ位置になる。
【００４４】
逆に、被検体ＭにおけるＲＩ分布像撮影位置は、天板３の長手方向に関しては、Ｘ線ＣＴ像撮影位置からＰＥＴ用ガントリＧ１の中心とＸ線ＣＴ用ガントリＧ２の中心との距離Ｌを差し引いた位置になり、天板３の短手方向に関しては、Ｘ線ＣＴ像撮影位置と同じ位置になる。
【００４５】
つまり、Ｘ線ＣＴ像撮影位置設定部１９で設定される撮影位置とＲＩ分布像撮影位置設定部８で設定される撮影位置とは、ＰＥＴ用ガントリＧ１とＸ線ＣＴ用ガントリＧ２の間の距離Ｌを媒介にして正確な対応が付けられる。
【００４６】
また、このように、ＲＩ分布像撮影位置設定部８とＸ線ＣＴ像撮影位置設定部１９が、ＲＩ分布像撮影位置やＸ線ＣＴ像撮影位置を、ＰＥＴ装置１とＸ線ＣＴ装置２で共用する天板３の位置で設定する場合、ＲＩ分布像撮影位置とＸ線ＣＴ像撮影位置の対応付けは極めて容易となる。
【００４７】
そして、ＰＥＴ装置１の場合、ＲＩ分布像撮影位置設定部８は、被検体ＭにおけるＸ線ＣＴ像撮影位置もＲＩ分布像撮影位置と対応が付けられた状態で指定する構成とされている。すなわち、前記のように、ＲＩ分布像撮影位置設定部８で設定される撮影位置は、ＰＥＴ用ガントリＧ１とＸ線ＣＴ用ガントリＧ２の間の距離Ｌを媒介にしてＸ線ＣＴ像撮影位置設定部１９で指定されるＸ線ＣＴ像撮影位置と正確に対応が付けられるので、ＲＩ分布像撮影位置設定部８によりＸ線ＣＴ像撮影位置を指定する時は、ＲＩ分布像撮影位置の時に比べ、（天板３の長手方向に関しては）ＰＥＴ用ガントリＧ１とＸ線ＣＴ用ガントリＧ２の間の距離Ｌが加味される。
【００４８】
ＲＩ分布像撮影位置設定部８によるＸ線ＣＴ像撮影位置の指定は、例えば、表示モニタ６に映し出されたＲＩ分布画像上で操作部１０を使って画面入力することによって行なわれる。
【００４９】
さらに、ＰＥＴ装置１のＰＥＴ用制御処理部５には、ＲＩ分布像撮影位置設定部８で指定されたＸ線ＣＴ像撮影位置を示す指定撮影位置情報をＸ線ＣＴ装置２へ通知する指定撮影位置情報通知部２１が配設されていて、ＲＩ分布像撮影位置設定部８で指定されたＸ線ＣＴ像撮影位置はＸ線ＣＴ装置２の側へ知らされる構成とされている。
【００５０】
また、Ｘ線ＣＴ装置２のＸ線ＣＴ用制御処理部１５には、指定撮影位置情報通知部２１から通知された指定撮影位置情報を表示モニタ１６の画面に映し出して表示する指定撮影位置情報表示部２２が配設されている。
【００５１】
撮影技師は、指定撮影位置情報表示部２２により表示モニタ１６に表示された指定撮影位置情報に撮影条件などを併せてチェックし、Ｘ線ＣＴ像撮影位置を決めて、操作部１４でＸ線ＣＴ像撮影位置を確定させる操作を行なうと、Ｘ線ＣＴ像撮影位置設定部１９により最終的なＸ線ＣＴ像撮影位置が設定される。
【００５２】
そして、撮影技師が操作部１４でＸ線ＣＴ撮影の実行指令操作を行なうと、Ｘ線管１２によるＸ線照射とＸ線検出器１３によるＸ線の検出が行なわれ、最終的にＸ線ＣＴ像撮影位置設定部１９で設定されたＸ線ＣＴ像撮影位置のＸ線ＣＴ画像が取得される。
【００５３】
このように、Ｘ線ＣＴ装置２の側では、指定撮影位置情報表示部２２により、ＰＥＴ装置１の側から通知された指定撮影位置情報が表示されるので、ＰＥＴ装置１で指定された被検体ＭにおけるＸ線ＣＴ像撮影位置が速やかに確認できる。そして、Ｘ線ＣＴ装置２の側で確認されたＸ線ＣＴ像撮影位置はＲＩ分布像撮影位置と対応が付けられているので、ＲＩ分布画像を取得したＲＩ分布像撮影位置に対応した位置のＸ線ＣＴ画像をＸ線ＣＴ装置で速やかに取得できる。
【００５４】
加えて、実施例のシステムの場合、Ｘ線ＣＴ装置２のＸ線ＣＴ用制御処理部１５には、Ｘ線ＣＴ画像の撮影を実行したＸ線ＣＴ像撮影位置を示す既撮影位置情報をＰＥＴ装置１へ通知する既撮影位置情報通知部２３が配設されている。即ち、Ｘ線ＣＴ装置２によりＸ線ＣＴ画像が取得されたＸ線ＣＴ像撮影位置がＰＥＴ装置１へ知らされる構成とされているのである。
【００５５】
さらに、ＰＥＴ装置１のＰＥＴ用制御処理部５には、Ｘ線ＣＴ像撮影位置とＲＩ分布像撮影位置の対応関係と、既撮影位置情報通知部２３から通知された既撮影位置情報とにしたがってＲＩ分布画像におけるＸ線ＣＴ撮影の実行位置を教示するＸ線撮影実行位置情報を表示モニタ６の画面に映し出して表示するＸ線撮影実行位置情報表示部２４が配設されている。
【００５６】
Ｘ線撮影実行位置情報表示部２４によるＸ線撮影実行位置情報の表示方式として、図５に示すように、ＲＩ分布画像の中のＸ線ＣＴ像撮影位置に対応する位置へ直線状カーソルラインを画像と同時に表示させる重畳表示形態が挙げられる。図５の重畳表示形態の場合、ＲＩ分布画像におけるＸ線ＣＴ撮影の実行位置をＲＩ分布画像上で直に確認できる。
【００５７】
なお、直線状カーソルラインを重畳表示する代わりにＸ線ＣＴ像撮影位置の存在範囲を囲む枠状カーソルラインを重畳表示してもよい。
【００５８】
Ｘ線撮影実行位置情報表示部２４によるＸ線撮影実行位置情報の他の表示方式として、図６に示すように、Ｘ線撮影実行位置情報をＲＩ分布画像のリスト表示（一覧表示）と同時に表示する付加表示形態が挙げられる。図６のリスト表示では、第３欄のｍｍ表示がＲＩ分布像撮影位置を示しており、枠状カーソルラインで囲まれたＲＩ分布画像の場合、ＲＩ分布像撮影位置がＸ線ＣＴ像撮影位置でもあることを示している。つまり、枠状カーソルラインで囲まれたＲＩ分布画像の撮影位置ではＲＩ分布画像に加えてＸ線ＣＴ画像も撮影されていることが分かるのである。したがって、図６の付加表示形態の場合、ＲＩ分布画像のリスト表示画面でＲＩ分布画像におけるＸ線ＣＴ撮影の実行位置が速やかに確認できる。
【００５９】
なお、枠状カーソルラインを付加表示する代わりには、網かけ表示を付加表示するようにしてもよい。
【００６０】
Ｘ線撮影実行位置情報表示部２４によるＸ線撮影実行位置情報の他の表示方式として、図７に示すように、Ｘ線撮影実行位置情報をＲＩ分布画像のサムネイル表示（一覧表示）と同時に表示する付加表示形態が挙げられる。図７のサムネイル表示では、太枠ボックスのＲＩ分布画像の場合、ＲＩ分布像撮影位置の位置がＸ線ＣＴ像撮影位置でもあることを示している。つまり、太枠ボックスのＲＩ分布画像の撮影位置ではＲＩ分布画像に加えてＸ線ＣＴ画像も撮影されていることが分かるのである。
【００６１】
したがって、図７の付加表示形態の場合、サムネイル表示の画面でＲＩ分布画像におけるＸ線ＣＴ撮影の実行位置が速やかに確認できる。
【００６２】
次に、以上の構成を有する複合型放射線撮像システムの撮影の実行およびＸ線ＣＴ撮影の実行位置の表示の一連のプロセスを図面を参照しながら説明する。図８は実施例のシステムによる撮影の実行およびＸ線ＣＴ撮影の実行位置の表示のプロセスを示すフローチャートである。
【００６３】
〔ステップＳ１〕撮影技師がＰＥＴ装置１の操作部１０で指定したＲＩ分布像撮影位置がＲＩ分布像撮影位置設定部８によって設定される。
【００６４】
〔ステップＳ２〕ＰＥＴ装置１による撮影が実行され、ＲＩ分布像撮影位置設定部８で設定されたＲＩ分布像撮影位置のＲＩ分布画像が取得される。
【００６５】
〔ステップＳ３〕ＰＥＴ装置１で取得したＲＩ分布画像を表示した表示モニタ６の画面上でＲＩ分布画像においてＸ線ＣＴ画像を取得したい位置を撮影技師が操作部１０で画面入力すると、入力位置がＲＩ分布像撮影位置設定部８により、Ｘ線ＣＴ装置２でＸ線ＣＴ画像を取得するＸ線ＣＴ像撮影位置として指定される。
【００６６】
〔ステップＳ４〕ＲＩ分布像撮影位置設定部８で設定されたＸ線ＣＴ像撮影位置を示す指定撮影位置情報が指定撮影位置情報通知部２１によりＸ線ＣＴ装置２へ通知される。
【００６７】
〔ステップＳ５〕Ｘ線ＣＴ装置２の指定撮影位置情報表示部２２により、ＰＥＴ装置１の側で指定されたＸ線ＣＴ像撮影位置を示す指定撮影位置情報が表示モニタ１６の画面に表示される。
【００６８】
〔ステップＳ６〕撮影技師が表示された指定撮影位置情報を他のＸ線撮影条件なども含めてチェックして、Ｘ線ＣＴ装置２の操作部１４でＸ線ＣＴ像撮影位置を指定操作を行なうのに伴って、Ｘ線ＣＴ像撮影位置設定部１９でＸ線ＣＴ像撮影位置が設定される。
【００６９】
〔ステップＳ７〕Ｘ線ＣＴ装置２による撮影が実行され、Ｘ線ＣＴ像撮影位置設定部１９で設定されたＸ線ＣＴ像撮影位置のＸ線ＣＴ画像が取得される。
【００７０】
〔ステップＳ８〕Ｘ線ＣＴ装置２の既撮影位置情報通知部２３により、Ｘ線ＣＴ画像の撮影を実行したＸ線ＣＴ像撮影位置を示す既撮影位置情報がＰＥＴ装置１へ通知される。
【００７１】
〔ステップＳ９〕ＰＥＴ装置１のＸ線撮影実行位置情報表示部２４により、既撮影位置情報通知部２３から通知された既撮影位置情報に従って、ＲＩ分布画像におけるＸ線ＣＴ撮影の実行位置を教示するＸ線撮影実行位置情報が、図５〜図７に示すように、表示モニタ６に表示される。
【００７２】
撮影技師は、表示モニタ６に表示されたＸ線撮影実行位置情報によってＲＩ分布画像におけるＸ線ＣＴ撮影の実行位置を速やかに確認することができる。
【００７３】
以上に述べたように、実施例のシステムの場合、Ｘ線ＣＴ装置２の側では、Ｘ線ＣＴ像撮影位置設定部１９が、被検体ＭにおけるＸ線ＣＴ画像を取得するＸ線ＣＴ像撮影位置をＲＩ分布像撮影位置と対応が付けられた状態で設定すると共に、既撮影位置情報通知部２３が、Ｘ線ＣＴ画像の撮影を実行したＸ線ＣＴ像撮影位置を示す既撮影位置情報をＰＥＴ装置１へ通知する。そして、Ｘ線ＣＴ装置２が通知する既撮影位置情報が示すＸ線ＣＴ画像の撮影を実行したＸ線ＣＴ像撮影位置はＲＩ分布像撮影位置と対応が付けられた状態で設定されたものであるので、ＰＥＴ装置１の側では、Ｘ線ＣＴ像撮影位置とＲＩ分布像撮影位置の対応関係と、Ｘ線ＣＴ装置２から通知された既撮影位置情報とにしたがって、Ｘ線撮影実行位置情報表示部２４が、ＲＩ分布画像におけるＸ線ＣＴ撮影の実行位置を教示するＸ線撮影実行位置情報を表示する。その結果、撮影技師ないし診察医師は、ＰＥＴ装置１のＸ線撮影実行位置情報表示部２４で表示されたＸ線撮影実行位置情報によって、ＲＩ分布画像におけるＸ線ＣＴ撮影の実行位置を速やかに確認することができる。
【００７４】
したがって、この発明の複合型放射線撮像システムによれば、ＰＥＴ装置１で取得されたＲＩ分布画像におけるＸ線ＣＴ装置２によるＸ線ＣＴ撮影の実行位置を容易に把握できる。
【００７５】
この発明は、上記の実施例に限られるものではなく、以下のように変形実施することも可能である。
【００７６】
（１）実施例のシステムの場合、ＰＥＴ装置１とＸ線ＣＴ装置２が１台の天板３を共用する構成であったが、ＰＥＴ装置１とＸ線ＣＴ装置２が別々に専用の天板を装備している構成であってもよい。
【００７７】
（２）実施例のシステムでは、ＰＥＴ装置１とＸ線ＣＴ装置２が天板３以外の装備を共用する構成であってもよい。例えば、ＰＥＴ装置１とＸ線ＣＴ装置２が１台の表示モニタや１セットの操作部を共用するようであってもよい。
【００７８】
（３）実施例のシステムは、核医学画像撮像装置がＰＥＴ装置であったが、この発明のシステムに用いられる核医学画像撮像装置はＰＥＴ装置に限られるものではない。
【００７９】
（４）実施例のシステムは、医用の装置であったが、この発明のシステムは、工業用や原子力用であってもよい。
【図面の簡単な説明】
【００８０】
【図１】実施例の複合型放射線撮像システムの全体的構成を示すブロック図である。
【図２】実施例のシステムにおけるＲＩ分布画像の表示の一例を示す模式図である。
【図３】実施例のシステムにおけるＲＩ分布画像の一覧表示の一例を示す模式図である。
【図４】実施例のシステムにおけるＲＩ分布画像の一覧表示の他の例を示す模式図である。
【図５】実施例のシステムにおけるＲＩ分布画像へのＸ線撮影実行位置情報の重畳表示例を説明する模式図である。
【図６】実施例のシステムにおけるＲＩ分布画像の一覧表示へのＸ線撮影実行位置情報の重畳表示の一例を示す模式図である。
【図７】実施例のシステムにおけるＲＩ分布画像の一覧表示へのＸ線撮影実行位置情報の重畳表示の他の例を示す模式図である。
【図８】実施例のシステムによる撮影の実行とＸ線ＣＴ撮影の実行位置の表示のプロセスを示すフローチャートである。
【符号の説明】
【００８１】
１          …ＰＥＴ装置（核医学画像撮像装置）
２          …Ｘ線ＣＴ装置（Ｘ線断層撮影装置）
３          …天板
４          …γ線検出器（γ線検出手段）
７          …ＲＩ分布画像取得部
８          …ＲＩ分布像撮影位置設定部
１２        …Ｘ線管（Ｘ線照射手段）
１３        …Ｘ線検出器（Ｘ線検出手段）
１８        …Ｘ線ＣＴ画像取得部
１９        …Ｘ線ＣＴ像撮影位置設定部
２１        …指定撮影位置情報通知部
２２        …指定撮影位置情報表示部
２３        …既撮影位置情報通知部
２４        …Ｘ線撮影実行位置情報表示部
Ｍ          …被検体
【図１】
2005304697.tif 000003
【図２】
2005304697.tif 000004
【図３】
2005304697.tif 000005
【図４】
2005304697.tif 000006
【図５】
2005304697.tif 000007
【図６】
2005304697.tif 000008
【図７】
2005304697.tif 000009
【図８】
2005304697.tif 000010